(57)【要約】【課題】取付けは勿論のこと、取外し作業を簡単に行なえるため、錠装置などの付属具を取替え、或いはメンテナンスが容易であるとともに、緊急時の対応を迅速に行なえる建具を提供する。【解決手段】厚さ方向の貫通孔を有する矩形板状の建具本体と、この建具本体を挟んで配され、かつ建具本体に取り付けられる一対の付属部材を含む付属具とを具え、一対の付属部材は、互いに向き合う面に雄片と、この雄片と前記貫通孔を介して連結する雌片とが各々に形成されるとともに、前記連結を解除できる解除手段を有することを特徴とする。【選択図】図１
2008031729.tif 000002
【特許請求の範囲】
【請求項１】
厚さ方向の貫通孔を有する矩形板状の建具本体と、この建具本体を挟んで配され、かつ建具本体に取り付けられる一対の付属部材を含む付属具とを具え、
一対の付属部材は、互いに向き合う面に雄片と、この雄片と前記貫通孔を介して連結する雌片とが各々に形成されるとともに、前記連結を解除できる解除手段を有することを特徴とする建具。
【請求項２】
前記雄片は、長さ方向のスリットを有するとともに外側面に周方向の環状の外ひだ部を設けた弾性体からなる内筒体により構成され、
前記雌片は、雄片に外挿するとともにその内周面に、周方向の環状の内ひだ部を設けた外筒体により構成され、
前記雌片の外筒体に挿入した雄片の内筒体の外ひだ部が、雌片の内ひだ部に弾性係合することにより、一対の付属部材が連結されることを特徴とする請求項１記載の建具。
【請求項３】
前記解除手段は、前記内筒体の先端縁の向き合う縁部間に架け渡される紐状の繋ぎ体と、外筒体の基部に形成されるとともに外筒体の内部を介して前記繋ぎ体に向き合う操作孔とからなり、
前記操作孔から挿入する操作棒の先端で繋ぎ体を押圧して、前記内筒体の先端部を縮径することにより、前記外ひだ部と内ひだ部の係合を解除できることを特徴とする請求項２記載の建具。
【請求項４】
前記解除手段は、前記外筒体の内周面に形成され、基端側に向けてラッパ状に広がるテーパ部と、外筒体の内側に移動可能に収容され、前記テーパ部に向き合う円錐台状の頭部を有するスライド具とを有し、
前記スライド具が雄片側へ向けて移動して、頭部がテーパ部を拡開することにより前記外ひだ部と内ひだ部の係合を解除できることを特徴とする請求項２記載の建具。
【発明の詳細な説明】
【技術分野】
【０００１】
本発明は、ドア、引き戸などの建具本体に対して、錠装置、把手などの付属部材を簡単に取り付けできるともに、緊急時などの必要に応じて付属部材を簡単に取り外しできる建具に関する。
【背景技術】
【０００２】
建具は、框組み、或いはフラッシュ構造の建具本体に、錠装置、把手、ドアクローザ、或いは、郵便受け具、インターホンなどの付属具を取り付けることにより、建具に必要な諸機能を付加している。そしてこれらの付属具は、殆どが一対の付属部材によって構成され、建具本体の両側に各々の付属部材を取り付けることにより構成されている。そこで、一対の付属部材に係合部と係合受け部を各々設けて、これらの係合操作によって、ワンタッチで取付する構造の付属具が多く提案されている（特許文献１参照）。
【０００３】
例えば図７に示すラッチａの出没動作を操作できるドア把手具ｂにおいては、ドアノブｄをプレートｅに取り付けた一対のドア把手部材ｆ１、ｆ２を設け、各々プレートｅの内面に、互いに向き合って矢じり状の係合部ｇ、挟み具状の係合受け部ｈを形成している。そして、ドア本体ｉの通孔ｊ内において、係合部ｇを係合受け部ｈに圧入して係合することにより、一対のドア把手部材ｆ１、ｆ２が離反不能に連結されて、ドア本体ｉに取り付けられている。従って、取り付け作業がワンタッチで完了するため施工性に優れるとともに、ＤＩＹでも簡単に作業できるなどの利点がある。
【０００４】
【特許文献１】特開２００４−２５７２１４号公報
【発明の開示】
【発明が解決しようとする課題】
【０００５】
しかしながら、これらワンタッチ式方式によって一度取り付けると、故障、破損等の場合、或いは新たな付属具に取り替える必要が生じた場合は、前記係合部ｇと係合受け部ｈとの連結が離反不能に構成されていることから、取り外しの作業が大変困難である。また無理に取り外し作業を行なうと、ドア本体ｉが破損したり、大きな傷が付きやすく、そのためドア本体ｉ全体を新たに取り替える必要が生じて、コストが高くなるとともに、周囲との外観バランスが崩れて、見栄えを低下させるという問題がある。
【０００６】
また例えばトイレ、浴室などを使用中の高齢者を、緊急時に救出する場合など、錠装置の取外しが簡単に出来ないため、作業に手間取り対応が遅れてしまうという問題がある。
【０００７】
本発明は、付属具を構成する一対の付属部材が、連結を解除できる解除手段を有することを基本とし、取付けは勿論のこと、取外し作業を短時間で行なえるため、錠装置など付属具の取替え、或いはメンテナンス作業が容易であるとともに、緊急時の対応を迅速に行なえる建具の提供を課題としている。
【課題を解決するための手段】
【０００８】
前記目的を達成するために、請求項１に係る発明では、厚さ方向の貫通孔を有する矩形板状の建具本体と、この建具本体を挟んで配され、かつ建具本体に取り付けられる一対の付属部材を含む付属具とを具え、一対の付属部材は、互いに向き合う面に雄片と、この雄片と前記貫通孔を介して連結する雌片とが各々に形成されるとともに、前記連結を解除できる解除手段を有することを特徴とする。
【０００９】
請求項２に係る発明では、前記雄片は、長さ方向のスリットを有するとともに外側面に周方向の環状の外ひだ部を設けた弾性体からなる内筒体により構成され、前記雌片は、雄片に外挿するとともにその内周面に、周方向の環状の内ひだ部を設けた外筒体により構成され、前記雌片の外筒体に挿入した雄片の内筒体の外ひだ部が、雌片の内ひだ部に弾性係合することにより、一対の付属部材が連結されることを特徴とする。
【００１０】
請求項３に係る発明において、前記解除手段は、前記内筒体の先端縁の向き合う縁部間に架け渡される紐状の繋ぎ体と、外筒体の基部に形成されるとともに外筒体の内部を介して前記繋ぎ体に向き合う操作孔とからなり、前記操作孔から挿入する操作棒の先端で繋ぎ体を押圧して、前記内筒体の先端部を縮径することにより、前記外ひだ部と内ひだ部の係合を解除できることを特徴とする。
【００１１】
請求項４に係る発明では、前記解除手段は、前記外筒体の内周面に形成され、基端側に向けてラッパ状に広がるテーパ部と、外筒体の内側に移動可能に収容され、前記テーパ部に向き合う円錐台状の頭部を有するスライド具とを有し、前記スライド具が雄片側へ向けて移動して、頭部がテーパ部を拡開することにより前記外ひだ部と内ひだ部の係合を解除できることを特徴とする。
【発明の効果】
【００１２】
請求項１に係る発明において、一対の付属部材は、互いに向き合う面に雄片と、この雄片と前記貫通孔を介して連結する雌片とが各々に形成されるとともに、前記連結を解除できる解除手段を有することから、例えば付属具が故障して修理したり、交換する場合に、簡単に取り外し作業ができる。しかも、無理に取り外す構造でないことから、建具本体を破損したり、傷つけることもなく、コストを安くメンテナンスできる。更には、周囲の外観と調和した建具本体を継続して使用できるため、見栄えを損なうこともない。
【００１３】
またトイレ、浴室などにロックした状態で入室中の高齢者を緊急に救出する際には、解除手段を使用することにより素早く開錠でき、迅速な対応ができる。
【００１４】
請求項２に係る発明のように、内筒体の外側面に周方向に設けた環状の外ひだ部を、外筒体の内周面に設けた環状の内ひだ部に弾性係合して一対の付属部材を連結するように構成すると、雄片と雌片とが強固に連結一体化される。そのため、付属具が、手荒な取扱い、繰り返しの振動を受けても、外れたりガタツキを生じることがない。しかも、雄片を雌片の外筒体に挿入するだけの操作によって、内筒体が弾性変形して確実に係合するため、操作性が良くしかも確実に連結できる。
【００１５】
請求項３に係る発明のように、内筒体の先端縁に架け渡される繋ぎ体と、外筒体の基部に形成される操作孔とで解除手段を形成し、操作孔から挿入する操作棒で繋ぎ体を押圧して、内筒体の縮径させることにより、内、外ひだ部の係合を解除するように構成すると、簡単な操作によって、迅速に付属具の取り外しができる。しかも連結の解除は、操作孔から操作棒を挿入して行なうため、誤って解除動作されることがなく、信頼性に優れる。
【００１６】
請求項４に係る発明のように、外筒体の内周面のテーパ部と、外筒体に移動可能に収容される円錐台状の頭部を有するスライド具とで解除手段を形成し、スライド具が雄片側へ向けて移動し、その頭部がテーパ部を拡開して外ひだ部と内ひだ部との係合を解除するように構成すると、円錐台状の頭部が外筒体を押し広げることから、連結を確実に解除できる。
【発明を実施するための最良の形態】
【００１７】
以下、本発明の実施の一形態を、図示例とともに説明する。図１に示すように、建具１は、矩形板状の建具本体３と、この建具本体３に取り付けられる付属具１８とからなる。さらにこの付属具１８は、建具本体３を挟んで取り付けられる一対の付属部材４（本明細書では、雄側の付属部材４Ｍ、雌側の付属部材４Ｆとして区別する）とからなる。
【００１８】
建具１としては、ドア、引き戸、回転戸、襖、ガラス戸、雨戸、門扉など建築物の開口部、或いは出入り口を開閉するために、移動可能に装着されるものをいう。本形態では図１に示すように、引き戸からなる建具１の場合を例示している。
【００１９】
前記建具本体３は、框組みされたものを用いることもできるが、軽量であること、コストが安いこと、取扱い性が良いことなどの理由から、フラッシュ構造のものが好適に採用できる。フラッシュ構造の建具本体３は、縦フレーム材、横フレーム材を矩形状に枠組みした外周枠の内側に補強桟を架け渡し形成された木製のパネルフレームの両側に、化粧板を貼着して形成される。なお建具本体３には、付属具１８を取り付けれるための貫通孔２が厚さ方向に形成される。
【００２０】
前記付属具１８は、本形態では、引き戸用の引き手１８Ａの場合が例示され、雄側の付属部材４Ｍと、雌側の付属部材４Ｆとにより構成される。また各々の付属部材４は、中央部に配置された縦溝状の凹部２１と、この凹部２１の周縁部に形成された矩形鍔状のフランジ２２とが一体に形成され、さらに本形態では、建具本体３の側端面に埋設される鎌錠ユニット２９と連係して、施開錠を操作する摘み２３Ａを含む錠操作部２３が設けられている。
【００２１】
雄側の付属部材４Ｍは更に、フランジ２２裏側の上、下部から各々雄片５、５を突設している。この雄片５は図２に示すように、略円筒状をなし、先端から長さ方向にのびる複数本のスリット８が隔設された内筒体１０Ｕにより構成される。また内筒体１０Ｕ先端の外周面には、周方向にのびる環状の凹凸を複数本連続して形成した外ひだ部９が形成される。そして、この内筒体１０Ｕはポリエチレン樹脂、ポリプロピレン樹脂、ポリスチレン樹脂、フェノール樹脂、不飽和ポリエステル樹脂などプラスチック材料を用いた弾性体によって形成される。従って、前記スリット８によって複数に分割された内筒体１０Ｕは、弾性に抗して縮径可能に形成される。
【００２２】
雌側の付属部材４Ｆは、フランジの裏側の上、下部から、前記雄片５に向いて突設した雌片６を有する。この雌片６は、雄片５よりも少し大径の略円筒状をなし、雄片５に外挿しうる大きさに形成された外筒体１０Ｓにより構成される。また外筒体１０Ｓは、その内周面に周方向にのびる環状の凹凸を複数本連続して形成した内ひだ部１１が形成される。
【００２３】
このようにして形成された雄側の付属部材４Ｍ、雌側の付属部材４Ｆは、前記建具本体３の反対側から、各々の凹部２１を形成することにより裏側へ突出して形成される突部２１Ａを、前記貫通孔２に挿入される。図３（Ａ）に示すようにこの挿入と同時に、前記雌側の付属部材４Ｆの外筒体１０Ｓ（雌片６）の内部に、雄側の付属部材４Ｍの内筒体１０Ｕ（雄片５）が嵌入するとともに、外筒体１０Ｓの内ひだ部１１、内筒体１０Ｕの外ひだ部９相互が、内筒体１０Ｕの弾性によって弾性係合する。この係合によって、雄側の付属部材４Ｍと、雌側の付属部材４Ｆとが、連結一体化される。その結果付属具１８が建具本体３に対して、隙間を生じることなく取り付けられる。しかも付属具１８が、手荒な取扱い、繰り返しの振動を受けたとしても、ガタツキを生じたり、外れることはない。しかも、一対の付属部材４を建具本体３の貫通孔２に各々反対側から挿入することにより、雌片６とこれに挿入される雄片５とが弾性係合して確実に連できるため、取り付け作業の作業性が良く、しかも確実に連結できる。
【００２４】
建具１は、前記一対の付属部材４の連結を解除しうる解除手段７が設けられる。本形態の解除手段７は図２に示すように、雄側の付属部材４Ｍに設けられる繋ぎ体１２と、雌側の付属部材４Ｆのフランジに設けられる操作孔１３とからなる。
【００２５】
前記繋ぎ体１２は、内筒体１０Ｕの先端部に設けられ、前記スリット８によって分割された向き合う分割片の先端相互間に架け渡されるた紐状体によって形成される。本形態の繋ぎ体１２は、４つの分割片の間に互いに直角に架け渡される一対の紐状体によって構成され、十字状をなすものが例示される。
【００２６】
前記操作孔１３は、外筒体１０Ｓの基部位置のフランジ２２に形成され、外筒体１０Ｓの内部と連通している。従って、建具本体３に付属具１８が取り付けられ、外筒体１０Ｓの内側に内筒体１０Ｕが挿入して相互連結した状態においては、操作孔１３は、前記繋ぎ体１２に向き合って位置する。
【００２７】
そして図３（Ｂ）に示すように、操作孔１３を通して細長い操作棒１４を外筒体１０Ｓの内部に挿入すると、その先端は真直ぐに進んで繋ぎ体１２に突き当たる。そして図３（Ｃ）に示すように、少し強く繋ぎ体１２を奥へ押しつけると、スリット８によって分割されるとともに弾性体で形成された内筒体１０Ｕは、弾性に抗して先端側が縮径する。縮径した内筒体１０Ｕ外周面の外ひだ部９と、外筒体１０Ｓの内ひだ部１１との係合が外れて、雄側の付属部材４Ｍと、雌側の付属部材４Ｆとの連結が解除される。
【００２８】
このように、特殊な工具を必要とせず、何処でも直ぐに見つけることにできる細長い棒体を使用できる操作棒１４を用いて、付属具１８の取外しができることから、例えば錠機能を内蔵した付属具１８が動作不良を起して修理が必要な場合、或いは新たな機能の付属具１８に交換する場合などに、簡単に取り外すことができる。しかも、解除手段７によって無理なく取り外すことができるため、建具本体３を破損したり、傷つけることもなく、コストを安くメンテナンスできる。また、壁の内装仕上げなど周囲の状況と調和した使い慣れた建具本体を、取り替えることなくそのまま使用できるため、見栄えを低下させることがない。更にはトイレ、浴室などにおいて、施錠状態で入室中の高齢者を緊急に救出する必要が生じた場合でも、解除手段７を使用して素早く開錠でき、迅速な対応ができる。
【００２９】
本形態のように、操作棒１４を操作孔１３から挿入するとともに繋ぎ体１２を押圧して内ひだ部１１、外ひだ部９の係合を解除できるように構成すると、高齢者、子供なども簡単に行なえる操作で、迅速に付属具１８を取り外しできる。しかも操作孔１３から操作棒１４を挿入して行なうため、誤って解除動作することがなく、信頼性に優れる。
【００３０】
図４、５は他の実施形態を例示している。以下異なる内容について説明し、それ以外は図中に表れた主要構成に同じ符号を付すだけとする。本形態の付属具１８は、ドアノブ２５が挿通し、このドアノブ２５を回動可能に支持するドアノブプレート１８Ｂの場合が例示され、前記実施態様同様、雄側の付属部材４Ｍと、雌側の付属部材４Ｆとにより構成される。そして図６（Ａ）に示すように、雄側の付属部材４Ｍの雄片５と、雌側の付属部材４Ｆの雌片６が弾性嵌合することにより、一対の付属部材４が建具本体３を介して連結される。
【００３１】
本形態の解除手段７は図５に示すように、雌側の付属部材４Ｆの設けられたテーパ部１５と、スライド具１７とを含み構成される。このテーパ部１５は、外筒体１０Ｓの先端部に形成された内ひだ部１１に続く箇所に配置され、フランジ２２に連続する基端部側に向けてラッパ状に広がる外筒体１０Ｓ内周面によって形成される。
【００３２】
前記スライド具１７は、前記テーパ部１５の傾斜面に一致する大きさに形成された円錐台状の頭部１６と、この頭部からフランジ２２側へのびるとともに中間に鍔２７を有する軸３０とが一体化したキノコ状をなす。そしてこのスライド具１７は、頭部１６をテーパ部１５側に向けて、外筒体１０Ｓの内側に移動可能に収容される。また雌側の付属部材４Ｆは、外筒体１０Ｓの基部位置のフランジに通孔２６が形成される。そして図６（Ｂ）に示すように、前記通孔２６には前記スライド具１７の軸３０の端部が挿入され、スライド具１７は、前記頭部１６、鍔２７が、各々テーパ部１５、通孔２６の縁部に当接した状態で外筒体１０Ｓ内に収容される。
【００３３】
このように構成しているため図６（Ｃ）に示すように、雌側の付属部材４Ｆの通孔２６から、鉛筆の芯などの突体２８によって、スライド具１７の軸３０端部を押す込むと、頭部１６がテーパ部１５を押し広げて、外筒体１０Ｓの先端が拡開することから、外ひだ部９と内ひだ部１１の係合が解除して、一対の付属部材４の連結が外れ、付属具１８を建具本体３から取り外すことができる。このように本形態では、円錐台状の頭部１６が、面接触する外筒体１０Ｓのテーパ部１５を押し広げることから、外筒体１０Ｓと内筒体１０Ｕの係合を確実に解除できるため、信頼性が高い点で好ましい。
【００３４】
尚、叙上の説明は本発明の実施の形態を例示したものである。従って本発明の技術的範囲はこれに何ら限定されるものではなく、前記した実施の形態の他にも、各種の変形例が含まれる。例えば前記付属具１８としては、把手の他、錠装置、ドアクローザ、或いは、郵便受け具、インターホンなど、建具本体３に対して両側から取り付けられる各種の物が含まれる。
【図面の簡単な説明】
【００３５】
【図１】本発明の一実施の形態を例示する分解斜視図である。
【図２】その要部拡大斜視図である。
【図３】（Ａ）〜（Ｃ）は雄片と雌片の係合、解除の状態を順次説明する工程図である。
【図４】図は他の実施形態を例示する分解斜視図である。
【図５】その要部拡大斜視図である。
【図６】（Ａ）〜（Ｃ）は雄片と雌片の係合、解除の状態を順次説明する工程図である。
【図７】従来例を示す分解斜視図である。
【符号の説明】
【００３６】
１      建具
２      貫通孔
３      建具本体
４      付属部材
５      雄片
６      雌片
７      解除手段
８      スリット
９      外ひだ部
１０Ｕ    内筒体
１０Ｓ    外筒体
１１      内ひだ部
１２      繋ぎ体
１３      操作孔
１４      操作棒
１５      テーパ部
１６      頭部
１７      スライド具
１８      付属具
【図１】
2008031729.tif 000003
【図２】
2008031729.tif 000004
【図３】
2008031729.tif 000005
【図４】
2008031729.tif 000006
【図５】
2008031729.tif 000007
【図６】
2008031729.tif 000008
【図７】
2008031729.tif 000009